(57)【要約】      （修正有）【課題】幌内の環境変化を容易に認識することができ、座席に座らせた子供が、熱気等の環境変化に晒されて不快感を抱いたり体調を崩したりするのを抑制することができる子供用乗用具を提供する。【解決手段】本体部と、本体部の上部側に支持された幌２０と、本体部の下部側に支持された車輪とを備え、車輪を転動させながら走行する子供用乗用具において、幌の内側に、環境に応じて警報を発する環境計４０を設けた。環境計は幌内の上部側に設け、幌には、通気可能且つ内部を目視可能にする通気窓２２ａ、２３ａを設け、環境計は、通気窓を介して外部から目視可能な位置に着脱可能に設けるのが好ましい。【選択図】図４
0003214030.tif 000002
【実用新案登録請求の範囲】
【請求項１】
本体部と、前記本体部の上部側に支持された幌と、前記本体部の下部側に支持された車輪とを備え、前記車輪を転動させながら走行する子供用乗用具において、前記幌の内側に、環境に応じて警報を発する環境計を設けたことを特徴とする子供用乗用具。
【請求項２】
前記環境計を前記幌内の上部側に設けたことを特徴とする請求項１記載の子供用乗用具。
【請求項３】
前記幌には、通気可能且つ内部を目視可能にする通気窓が設けられ、
前記環境計は、前記通気窓を介して外部から目視可能な位置に設けられていることを特徴とする請求項1又は２記載の子供用乗用具。
【請求項４】
前記通気窓を前記幌の前部側と後部側の双方に設け、前記環境計を、前記幌の前部側と後部側のうち、何れか一方又は双方に設けたことを特徴とする請求項３記載の子供用乗用具。
【請求項５】
前記幌の内側に、前記環境計を着脱可能な取付部を複数設け、これら複数の取付部に対し、前記環境計が選択的に取り付けられるようにしたことを特徴とする請求項１乃至４何れか１項記載の子供用乗用具。
【請求項６】
前記環境計は、前記警報として、周囲環境に応じた異なる種類の音を発することを特徴とする請求項１乃至５何れか１項記載の子供用乗用具。
【考案の詳細な説明】
【技術分野】
【０００１】
本考案は、ベビーカーや三輪車、乗用玩具等を含む子供用乗用具に関するものである。
【背景技術】
【０００２】
従来、この種の子供用乗用具には、例えば特許文献１に記載されるように、複数種類のフレームと、これらフレーム上に敷設された座席と、この座席の上方側に位置するように前記フレームに支持された幌と、前記フレームの下部側に支持されて回転する車輪とを備えたベビーカーがある。
このベビーカーによれば、座席に子供を座らせて、この子供の上方を幌によって覆うようにすれば、子供が日光や風雨等に直接晒されるのを防ぐことができる。
【先行技術文献】
【特許文献】
【０００３】
【特許文献１】特開２０１３−１１２０８６号公報
【考案の概要】
【考案が解決しようとする課題】
【０００４】
しかしながら、上記従来技術によれば、座席に座らせた子供が幌に覆われて視認し難くなるため、例えば、夏場の外気温度の影響により幌内に熱気が溜まり、この熱気によって子供が不快感を抱いていたとしても気が付き難い。
【課題を解決するための手段】
【０００５】
このような課題に鑑みて、本考案は、以下の構成を具備するものである。
本体部と、前記本体部の上部側に支持された幌と、前記本体部の下部側に支持された車輪とを備え、前記車輪を転動させながら走行する子供用乗用具において、前記幌の内側に、環境に応じて警報を発する環境計を設けたことを特徴とする子供用乗用具。
【考案の効果】
【０００６】
本考案は、以上説明したように構成されているので、幌内の環境変化を容易に認識することができ、例えば、座席に座らせた子供が、熱気等の環境変化に晒されて不快感を抱いたり体調を崩したりするのを抑制することができる。
【図面の簡単な説明】
【０００７】
【図１】本考案に係る子供用乗用具の一例を側方から視た図である。
【図２】手押し杆が前側に位置する状態の同子供用乗用具を、側方斜め上側から視た図である。
【図３】手押し杆が前側に位置し且つ幌が開放した状態の同子供用乗用具を、側方斜め上側から視た図である。
【図４】手押し杆が前側に位置し且つ開閉シートが開放した状態の同子供用乗用具を示し、（ａ）は斜め前方側から視た要部斜視図であり、（ｂ）は斜め後方側から視た要部斜視図である。
【図５】環境計の一例を示す正面図である。
【考案を実施するための形態】
【０００８】
本実施の形態では、以下の特徴を開示している。
第１の特徴は、本体部と、前記本体部の上部側に支持された幌と、前記本体部の下部側に支持された車輪とを備え、前記車輪を転動させながら走行する子供用乗用具において、前記幌の内側に、環境に応じて警報を発する環境計を設けた（図１〜図４参照）。
この構成によれば、幌内の環境変化を環境計の警報によって容易に認識することができる。
【０００９】
第２の特徴は、幌内の環境をより感知し易いように、前記環境計を前記幌内の上部側に設けた。
【００１０】
第３の特徴として、幌内の通気性を向上するとともに環境計の状態を把握し易いように、前記幌には、通気可能且つ内部を目視可能にする通気窓が設けられ、前記環境計は、前記通気窓を介して外部から目視可能な位置に設けられている（図４参照）。
【００１１】
第４の特徴は、より具体的な好ましい態様として、前記通気窓を前記幌の前部側と後部側の双方に設け、前記環境計を、前記幌の前部側と後部側のうち、何れか一方又は双方に設けた。
【００１２】
第５の特徴は、前記幌の内側に、前記環境計を着脱可能な取付部を複数設け、これら複数の取付部に対し、前記環境計が選択的に取り付けられるようにした。
【００１３】
第６の特徴として、幌内の環境変化をより認識し易くするために、前記環境計は、前記警報として周囲環境に応じた異なる種類の音を発する。
【００１４】
＜具体的実施態様＞
次に、上記特徴を有する具体的な実施態様について、図面に基づいて詳細に説明する。
図１〜図４は、左右一対の車輪を前後に備える四輪式の子供用乗用具を例示している。
この子供用乗用具Ａは、本体部１０と、本体部１０の上部側に支持された幌２０と、本体部１０の下部側に支持された車輪３０とを備え、車輪３０を転動させながら走行するベビーカー（乳母車）であり、幌２０の内側に、環境に応じて警報を発する環境計４０を備えている。
【００１５】
本体部１０は、右半部と左半部の下端側でそれぞれ車輪３０を支持する前脚杆１１及び後脚杆１２と、これら前脚杆１１及び後脚杆１２を上部側で連結して座席を構成する座部杆１３と、左右の前脚杆１１，１１を連結する踏板部１４と、左右の後脚杆１２，１２を連結する連結杆１５と、左右の前脚杆１１，１１及び後脚杆１２，１２の上端側間に接続された肘掛け杆１６（アームレスト）と、前後方向へ回動するように左右の後脚杆１２，１２の上部側に支持された逆Ｕ字状の手押し杆１７と、座部杆１３上に止着固定された布製のシート１８と、シート１８の下側に止着された袋状の収納部１９と備えている。
左右の前脚杆１１，１１及び後脚杆１２，１２の下端には、それぞれ、回転自在に車輪３０が枢支されている。各車輪３０には、レバー操作によりその回転を拘束する周知のブレーキ機構が設けられる。
【００１６】
また、幌２０は、複数の布材及び骨材により構成され、シート１８の後部（背部）側から上方へ延設され、シート１８の上方側の空間を覆う。
この幌２０は、その前端側の逆Ｕ字状の開口部２１を前方へ回動させることで、シート１８に上方側の空間を側面視略半円状に覆った閉鎖状態（図１及び図２参照）になり、開口部２１を後方へ回動させることで、前記空間を開放した開放状態（図３参照）になる。
【００１７】
また、幌２０の上部側における前部側には、通気可能且つ内部を視認可能な通気窓２２ａと、この通気窓２２ａを開閉する開閉シート２２ｂが設けられる。同様にして、幌２０の上部側における後部側にも、通気窓２３ａと、開閉シート２３ｂが設けられる。
【００１８】
通気窓２２ａ，２３ａは、数ミリ角の網目を多数有する布製シート材により形成される。この通気窓２２ａ，２３ａは、前記網目により、内外への空気の流通を確保するとともに、幌２０内の目視を可能にする。
【００１９】
開閉シート２２ｂ，２３ｂは、通気窓２２ａ，２３ａを覆う大きさの布制シート材により形成される。この開閉シート２２ｂ，２３ｂは、上辺側のみが幌２０に止着されており、通常時は、図１〜図３に示すように、通気窓２２ａ，２３ａを覆った閉鎖状態にあり、必要に応じて手で捲り上げられると、図４に示す開放状態になる。
【００２０】
環境計４０は、幌２０内の上部側における前部側と後部側に、それぞれ設けられる。詳細に説明すれば、これら前部側と後部側の環境計４０は、それぞれ、通気窓２２ａ，２３ａを介して外部から目視可能なように、通気窓２２ａ，２３ａの内面の近傍に設けられる。
【００２１】
各環境計４０は、周囲の環境に応じた警報として、異なる種類の音を発するものである。
図５に例示する環境計４０は、環境計本体４１と、着脱具付き紐状体４２とから構成され、着脱具付き紐状体４２の上端を幌２０の内面に止着している。
【００２２】
環境計本体４１は、ケース４１ａと、液晶デュスプレイ４１ｂと、ＬＥＤ４１ｃと、スピーカ４１ｄと、電源スイッチ（図示せず）と、温湿度センサー（図示せず）と、制御回路基板４１ｅとを一体的に具備したものを例示している。
【００２３】
ケース４１ａは、合成樹脂製の中空状のケースであり、例えば、正面視楕円型もしくは正面視卵型、あるいはその他の形状に形成される。
【００２４】
液晶デュスプレイ４１ｂは、ケース４１ａから外部に露出するとともに、制御回路基板４１ｅに電気的に接続されており、制御回路基板４１ｅの指令に応じて、温度及び湿度等の環境情報を表示する。
【００２５】
ＬＥＤ４１ｃは、ケース４１ａから外部に露出するように、複数並べて設けられ、図示例によれば、横一列に５つ設けられる。これら複数のＬＥＤ４１ｃは、制御回路基板４１ｅに電気的に接続されており、熱中症危険度の目安（例えば、「警告なし」、「ほぼ安全」、「注意」、「警戒」、「危険」など）に応じて異なる位置のものが発光するように制御される。
【００２６】
スピーカ４１ｄは、制御回路基板４１ｅに電気的に接続されており、前述した熱中症危険度の目安に応じて、異なる種類の音を発する。これらの音は、例えば、「ピー」等の連続音や、「ピッピ」等の断続音、音間隔を異ならせた断続音、メロディー音等とすることが可能である。
このスピーカ４１ｄの一例としては、熱中症危険度が、「警戒」の場合に「ピッピ」という断続音を発し、「危険」の場合には「ピー」という連続音を発するようにする。このようにして発した音は、熱中症危険度の低下、又は電源スイッチの入れ直しによりリセットされる。
【００２７】
制御回路基板４１ｅは、マイコンや記憶装置等を備え、図示しない温湿度センサによって測定される温湿度を液晶デュスプレイ４１ｂに表示するとともに、その温湿度データに基づき熱中症危険度を求め、その熱中症危険度に応じて、ＬＥＤ４１ｃ及びスピーカ４１ｄによる出力を行う。
【００２８】
また、着脱具付き紐状体４２は、摘み操作により片半部４２ａ１と他半部４２ａ２が着脱される着脱具（バックル等と呼称される場合がある。）と、この着脱具の片半部４２ａ１と他半部４２ａ２にそれぞれ止着された紐４２ｂ１，４２ｂ２とから構成され、環境計本体４１の取り外しを可能にしている。
【００２９】
次に、上記構成の子供用乗用具Ａについて、その特徴的な作用効果を詳細に説明する。
例えば、図４に示すように、開閉シート２２ｂ（又は２３ｂ）を捲れば、通気窓２２ａ（又は２３ａ）を介して、子供（幼児を含む）の状態を確認することができ、同時に、環境計４０による表示（温度、湿度、熱中症危険度等）も目視することができる。
また、開閉シート２２ｂ，２３ｂを閉じた状態であっても、幌２０内の環境が異常に悪化した場合には、前部側及び／又は後部側で環境計４０が、その環境に応じた音を発するため、幌２０内の環境変化を容易に認識することができる。
すなわち、例えば、夏場の外気温度の影響により幌２０内に熱気が溜まり、この熱気によって子供が不快感を抱いていた場合に、この状況を環境計４０の警報によって容易に知ることができる。
また、電池交換やメンテナンス等のために環境計４０を外す場合には、図３に示すように、幌２０の開口部２１を後方へ回動させて開放し、環境計４０の着脱具（片半部４２ａ１と他半部４２ａ２）を操作して、環境計本体４１を容易に取り外すことができる。
【００３０】
なお、上記実施態様によれば、環境計４０を幌２０内の前部側と後部側の双方に設けたが、他例としては、環境計４０を前部側と後部側の何れか一方のみに設けるようにしてもよい。
【００３１】
さらに、他例としては、幌の内側に、環境計を着脱可能な取付部を複数設け、これら複数の取付部に対し、環境計が選択的に取り付けられるようにしてもよい。
具体的に説明すれば、着脱具付き紐状体４２の上側の片半部４２ａ１及び紐４２ｂ１を取付部Ｘとし（図５参照）、この取付部Ｘを、前側通気窓２２ａの内側や後側の通気窓２３ａ内側等、幌２０内の複数個所に配設する。そして、これら複数個所の取付部Ｘに対し、一組の環境計本体４１、紐４２ｂ２及び他半部４２ａ２が、選択的に取り付けられるようにすればよい。
この構成によれば、保護者が、使用環境等に応じて見やすい位置に、自分で環境計を取り付けることができる。
【００３２】
また、上記実施態様によれば、環境計４０は光及び音によって警報を発する態様としたが、この環境計４０の他例としては、光又は音のみを警報として発する態様や、振動によって警報を発する態様等とすることも可能である。
【００３３】
また、上記実施態様によれば、環境計４０が温湿度センサの感知信号に基づき表示および警報を出力するようにしたが、環境計の他例としては、日照度センサや、風力センサ、雨センサ等の感知信号に応じて表示や警報等を出力する態様とすることも可能である。
【００３４】
また、上記実施態様によれば、子供用乗用具の一例としてベビーカー（乳母車）を構成したが、この子供用乗用具の他例としては、幌を具備した三輪車や、幌を具備した乗用玩具（例えば、車や電車等の玩具）等とすることも可能である。
【００３５】
本考案は上述した実施態様に限定されず、本考案の要旨を変更しない範囲で適宜変更可能である。
【符号の説明】
【００３６】
１０：本体部
１７：手押し杆
１８：シート
２０：幌
２２ａ，２３ａ：通気窓
２２ｂ，２３ｂ：開閉シート
３０：車輪
４０：環境計
４１：環境計本体
４１ａ：ケース
４１ｂ：液晶デュスプレイ
４１ｃ：ＬＥＤ
４１ｄ：スピーカ
Ａ：子供用乗用具
Ｘ：取付部
【図１】
0003214030.tif 000003
【図２】
0003214030.tif 000004
【図３】
0003214030.tif 000005
【図４】
0003214030.tif 000006
【図５】
0003214030.tif 000007